(57)【要約】【課題】本発明は、特に無線通信床暖房制御システムに関するもので、リモコンで時刻を設定する場合、取り付けられたリモコンそれぞれで設定する必要があるという課題を有していた。【解決手段】無線床暖房リモコン３と、中継器４を備え、中継器４に無線床暖房リモコンとメーカー独自の無線通信プロトコルで通信を行う中継器無線通信手段１１を備え、無線床暖房リモコンに時刻設定手段１９を備えることにより、登録されている床暖房リモコンいずれかで時刻設定をおこなえば、ほかの登録されている床暖房リモコンにもその情報が伝わるようにし、１台で設定すれば全てのリモコンの時刻設定も完了するようにするものである。【選択図】  図１
2004177036.tif 000002
【特許請求の範囲】
【請求項１】
熱源機と、床に設置された複数個の床暖房用放熱パネルと、無線床暖房リモコンと、中継器から構成され、前記熱源機は、業界内で統一された双方向通信プロトコルで前記中継器と有線通信を行う熱源有線通信手段と、前記有線通信手段からの運転指示を受け前記放熱パネルに温水を循環供給する熱源制御手段を備え、前記中継器は前記熱源機と業界内で統一された双方向通信プロトコルで通信を行う中継器有線通信手段と、前記無線床暖房リモコンとメーカー独自の無線通信プロトコルで通信を行う中継器無線通信手段と、前記無線床暖リモコンとの通信内容を業界統一の双方向通信プロトコルに変換し、前記熱源機との通信内容を無線通信プロトコルに変換するデータ変換手段を備え、前記無線床暖房リモコンは表示器と、リモコン制御手段と、前記中継器と無線通信を行うリモコン無線通信手段と、時刻を設定する時刻設定手段を備えた無線床暖房制御装置。
【請求項２】
前記時刻設定手段は、時刻設定の開始、終了を指示する設定スイッチと、操作によって設定時刻を増加させる増加スイッチと、操作によって設定時刻を減少させる減少スイッチを備え、設定スイッチにより設定モードへ移行し、増加、減少スイッチの操作により時刻を変更し、再度設定スイッチ操作によって時刻を確定し、前記リモコン無線通信手段によって中継器に設定時刻を送信する機能を有する請求項１記載の無線床暖房制御装置。
【請求項３】
前記中継器無線通信手段は、時刻設定したリモコンからの時刻データを受信し、登録されているほかの無線床暖房リモコンに時刻データを送信する機能を有する請求項１又は２記載の無線床暖房制御装置。
【発明の詳細な説明】
【０００１】
【発明の属する技術分野】
本発明は、特に無線通信床暖房制御システムに関するものである。
【０００２】
【従来の技術】
従来この種の床暖房制御システムは、有線通信とするのが一般的であった。従来の床暖房制御システムは、例えば、熱源機から四つの床暖房パネルに四つの温水弁を介して各温水往パイプが接続されており、各温水戻パイプは統合されて熱源機へ接続されている。
【０００３】
一方、各床暖房パネルのある部屋に各床暖房リモコンが、それぞれとりつけられ、熱源機はたとえば床暖房リモコンの要求に応じて温水弁を開き床暖房パネルを加熱する。すなわち、熱源機内には、たとえば、４系統の床暖房を接続できる熱源機である場合、一つの床暖房リモコン接続端子に対し、それに連動して動作する温水弁接続端子が必ず一つあり、これらの組み合わせが４組あるということになっていた。この４組という組数は、熱源機の能力に応じて何組かに構成される（例えば、特許文献１参照）。
【０００４】
【特許文献１】
特開２００２−２５７３６１号公報
【０００５】
【発明が解決しようとする課題】
しかしながら、従来の床暖房制御システムでは、リモコンで時刻を設定する場合、取り付けられたリモコンそれぞれで設定する必要があるという課題を有していた。
【０００６】
すなわち、各床暖房リモコンのある部屋のそれぞれ個別で時刻設定して回らねばならないということであり、リモコンの数が多くなればなるほど例えば停電などで時刻を再設定せねばならない場合には手間がかかり、使い勝手に支障をきたすという課題を有していた。
【０００７】
【課題を解決するための手段】
本発明は上記課題を解決するために、登録されている床暖房リモコンいずれかで時刻設定をおこなえば、ほかの登録されている床暖房リモコンにもその情報が伝わるようにし、１台で設定すれば全てのリモコンの時刻設定も完了するようにするものである。
【０００８】
【発明の実施の形態】
請求項１に記載の発明は、熱源機と、床に設置された複数個の床暖房用放熱パネルと、無線床暖房リモコンと、中継器から構成され、熱源機は、業界内で統一された双方向通信プロトコルで中継器と有線通信を行う熱源有線通信手段と、有線通信手段からの運転指示を受け放熱パネルに温水を循環供給する熱源制御手段を備え、中継器は熱源機と業界内で統一された双方向通信プロトコルで通信を行う中継器有線通信手段と、無線床暖房リモコンとメーカー独自の無線通信プロトコルで通信を行う中継器無線通信手段と、無線床暖リモコンとの通信内容を業界統一の双方向通信プロトコルに変換し、前記熱源機との通信内容を無線通信プロトコルに変換するデータ変換手段を備え、無線床暖房リモコンは表示器と、リモコン制御手段と、中継器と無線通信を行うリモコン無線通信手段と、時刻を設定する時刻設定手段を備えたものである。そして、熱源機と無線床暖房リモコンを通信可能にしたものである。
【０００９】
請求項２に記載の発明は、特に請求項１に記載の時刻設定手段は、時刻設定の開始、終了を指示する設定スイッチと、操作によって設定時刻を増加させる増加スイッチと、操作によって設定時刻を減少させる減少スイッチを備え、設定スイッチにより設定モードへ移行し、増加、減少スイッチの操作により時刻を変更し、再度設定スイッチ操作によって時刻を確定し、リモコン無線通信手段によって中継器に設定時刻を送信する機能を備えたものである。
【００１０】
そして床暖房リモコンで時刻を設定することができ、その情報を中継器へ伝達することができる。
【００１１】
請求項３に記載の発明は、請求項１、２において、中継器無線通信手段は、時刻設定したリモコンからの時刻データを受信し、登録されているほかの無線床暖房リモコンに時刻データを送信する機能を備えたものである。
【００１２】
そして、登録された床暖房リモコンのいずれかで時刻が設定されると、ほかの床暖房リモコンにもその情報が伝わり、時刻設定を完了させることができる。
【００１３】
【実施例】
以下、本発明の実施例について図面を参照して説明する。
【００１４】
（実施例１）
図１、２は、本発明の一実施例としての無線床暖房制御装置である。
【００１５】
１は熱源機、２ａ、２ｂ、２ｃはリビングルームやダイニングルームに敷設される床暖放熱パネルであり、３ａ、３ｂは無線床暖房リモコン、４は中継器である。無線床暖房リモコンでは暖房運転スイッチ７ａ、７ｂを操作すると、リモコン無線通信手段１６ａ、１６ｂに運転要求が指示される。中継器４にある中継器無線通信手段１１は無線床暖房リモコンのリモコン無線通信手段１６ａ、１６ｂから運転要求信号を受け取り、データ変換手段１２に送る。データ変換手段１２は無線通信プロトコルを双方向通信プロトコルに変換し中継器有線通信手段１０へデータを送る。有線通信手段１０は通信線１８ａ、１８ｂ、１８ｃを介して熱源有線通信手段８にデータを送る。熱源有線通信手段８はどの通信線から運転信号が来たかを示す系統番号と運転要求信号を熱源制御手段９に送る。熱源制御手段９は運転要求信号を受けると指示された系統番号を判断し、該当する床暖放熱パネルの開閉部５ａまたは５ｂまたは５ｃを開け、温水を供給することで放熱パネルを暖め、暖房運転を行う。
【００１６】
尚、熱源機１、無線床暖房リモコン３ａ、３ｂはそれぞれが出荷時から固有のＩＤコードを持っており、熱源とリモコンは互いに相手のＩＤコードを認識して動作する。従って隣接するシステムがあっても誤動作するようなことはない。
【００１７】
次に図２を用いて本実施例の時刻設定動作について説明する。
【００１８】
無線床暖房リモコン３ａの設定スイッチ１３ａを押すと、リモコン制御手段６ａは時刻設定モードへと制御を移行する。このとき、表示器１７ａを点滅表示にするなどし、モードが変わったことを操作者に認識させる。
【００１９】
時刻設定モード中では、増加スイッチ１４ａ、減少スイッチ１５ａの操作が有効となり、それらを操作することで時刻を変更する。操作による変更は、リモコン制御手段６ａによって表示器１７ａに逐次反映される。最終的に、再度設定スイッチ１３ａを操作することで、設定時刻は確定し、リモコン制御手段６ａにより、表示器１７ａは点灯表示になり、モードが終了したことを操作者に認識させる。
【００２０】
図３は本実施例における動作状態の流れを説明した図である。無線床暖房リモコン３ａには設定スイッチ１３ａ、増加スイッチ１４ａ、減少スイッチ１５ａがあり、これらのスイッチを操作することで時刻を設定することができる（Ｓ１）。リモコン制御手段６ａは時刻が確定すると、リモコン無線通信手段１６ａによって中継器に時刻情報を送信する（Ｓ２）。中継器４は、中継器無線通信手段１１によって時刻情報を受信する。次にその情報を登録されている無線床暖房リモコンのうち、送信元以外のリモコンのうち１台に向けて発信する（Ｓ３）。時刻情報を受信したリモコン３ｂは、その情報を自分の時刻情報とし、表示器に表示する（Ｓ４）。
【００２１】
更に中継器４は、図示していないが、登録されているリモコンに順次同様に時刻情報を発信し（Ｓ５）、時刻情報を受信したリモコンは、その情報を自分の時刻情報とし、表示器に表示する（Ｓ６）。
【００２２】
以上にような手順により登録されているリモコンのうち、１台で時刻設定をおこなえば、ほかのリモコンも設定操作なくして時刻を設定することが可能である。
【００２３】
【発明の効果】
以上の説明から明らかなように、本発明による請求項１の無線床暖房制御装置は、登録されている床暖房リモコンの１つで時刻設定をおこなえば、ほかの登録されている床暖房リモコン全ての時刻設定も完了するようにすることができる。
【図面の簡単な説明】
【図１】本発明の一実施例における無線床暖房制御装置のブロック図
【図２】本発明の一実施例における無線床暖房制御装置のリモコンのブロック図
【図３】本発明の一実施例における動作状態図
【符号の説明】
１  熱源機
２ａ、２ｂ、２ｃ  床暖用放熱パネル
３ａ、３ｂ  無線床暖房リモコン
４  中継器
６ａ、６ｂ  リモコン制御手段
８  熱源有線通信手段
９  熱源制御手段
１０  中継器有線通信手段
１１  中継器無線通信手段
１２  データ変換手段
１３ａ、１３ｂ  設定スイッチ
１４ａ、１４ｂ  増加スイッチ
１５ａ、１５ａ  減少スイッチ
１６ａ、１６ｂ  リモコン無線通信手段
１７ａ、１７ｂ  表示器
１９ａ、１９ｂ  時刻設定手段
【図１】
2004177036.tif 000003
【図２】
2004177036.tif 000004
【図３】
2004177036.tif 000005